(57)【要約】【課題】身近に使用できて、耐久性を有してしかも実用的な練習を行える簡易なゴルフ練習台を提供すること。【解決手段】ゴルフ練習台１は、床面に配置するベース２と、ベース２から立設する支柱３と、支柱３に対して回転可能な回転台４とを備えている。回転台４の一端に叩打部材１０を配置して、他端に錘部材５を配置している。叩打部材１０は、叩打ピン支持部１１の中央部位に形成した第１の挿通孔１１１Ａに第１の叩打ピン１７Ａを移動可能に挿入し、第１の挿通孔１１１Ａの周りに形成する４箇所の第２の挿通孔１１１Ｂに第２の叩打ピン１７Ｂをそれぞれ移動可能に挿入する。それぞれの叩打ピン１７は、それぞれセンサ１９に接続して、各センサ１９から回転体７に配置する中継端８・指導通リング６２を介してチャイム収容部３０内の各チャイムに接続する。【選択図】図１
2005185509.tif 000002
【特許請求の範囲】
【請求項１】
床上に載置するベースと、先端部に叩打部材を備えて前記ベースに対して回転可能に配置される回転体と、前記叩打部材の回転による慣性力と略同一の慣性力を有して前記回転体の回転中心位置に対して前記叩打部材と反対側の前記回転体上に配置する錘部材と、を有して構成される叩打用練習台であって、
前記叩打部材には、前記叩打位置に対して感知可能な複数の感知手段が配設されるとともに、それぞれの感知手段がそれぞれ出力手段に接続され、
前記叩打部材の叩打位置によって、それぞれ選択的に出力手段からの出力がなされることを特徴とする叩打用練習台。
【請求項２】
前記感知手段が、前記叩打部材の各位置に配置された往復移動可能な複数のピン部材と、前記ピン部材の移動検出位置を検出するセンサと、を有し、前記ピン部材がそれぞれ衝撃緩和するばね部材に接続されていることを特徴とする請求項１記載の叩打用練習台。
【請求項３】
前記ピン部材が、前記叩打部材の中心位置に配置される第１のピン部材と、第１のピン部材の周りで複数配置される第２のピン部材とを有していることを特徴とする請求項２記載の叩打用練習台。
【請求項４】
前記感知手段が、前記叩打部材の中心位置を感知する部位において、第１の移動検出位置を検出する第１のセンサと、第２の移動検出位置を検出する第２のセンサとを備えていることを特徴とする請求項１，２又は３記載の叩打用練習台。
【請求項５】
前記感知手段が、前記叩打部材の各位置に配置された往復移動可能な複数のピン部材と、前記ピン部材の移動検出位置を検出するセンサと、を有し、前記センサが前記ピンを挿通することによって前記ピンの移動検出位置を検出する非接触型の電磁センサであることを特徴とする請求項１記載の叩打用練習台。
【請求項６】
前記ベースには、前記出力手段に接続する第１の配線部材が接続され、前記回転体には、前記感知手段に接続する第２の配線部材が接続され、前記第２の配線部材の先端には、前記回転体の回転中心から同心上に順次離隔する感知片部を配置するとともに、前記ベースには、前記感知片部に対向する溝部をそれぞれ形成することを特徴とする請求項１記載の叩打用練習台。
【請求項７】
前記出力手段が、それぞれ異なる聴覚手段又は視覚手段で出力されることを特徴とする請求項１，２，３，４，５又は６記載の叩打用練習台。
【発明の詳細な説明】
【技術分野】
【０００１】
本発明はゴルフ、グラウンド・ゴルフ、野球等の球技スポーツのボールを叩打して正しい打ち方を試打する叩打用練習台に関する。
【背景技術】
【０００２】
球技スポーツ、例えば、ゴルフのように、クラブをボールの芯に狙って正しい姿勢で打つことは、なかなか難しく多くの練習を必要とする。そのために、何度もゴルフ練習場に通うことは費用がかかることから、家庭内や身近な場所で簡単に練習できる練習台が要望されていた。
【０００３】
簡易的なゴルフ練習台としては、従来から特許文献１に示されているものが知られていた。これによると、図１１に示すように、練習台７０は、ベース部７１に立設する支柱７２と、支柱７２に回転可能に支持される内リング７３と、内リング７３から放射線状に配置する羽根部材７４を介して配置する外リング７５と、外リング７５から突出する複数のネック部７６を介して配置するボール部７７と、を備えて構成されている。そして、１個のボール部７７を狙ってクラブで叩打することによってボール部７７が支柱７２に対して回転する。これによって、家庭内でも簡単にゴルフの練習を行えることとなっていた。
【０００４】
また特許文献２では、叩打したボールの叩打力を視覚あるいは聴覚によって表示できるように構成されている。
【特許文献１】特開平６−２５４２８６号公報（２頁、図１参照）
【特許文献２】特開平９−２８８５１号公報（３〜５頁、図１参照）
【発明の開示】
【発明が解決しようとする課題】
【０００５】
しかし、上記の特許文献のいずれにおいても、ボールの芯を叩打したかどうかのチェックを行うように構成されていなかった。つまり、特許文献１では、ボール部７７が外リング７５に突出して配置されているだけであることから、単にボール部７７を叩打するだけの練習台となっており、ボール部７７を打つ楽しみはあっても、ボール部７７の叩打位置をチェックするようには構成されていない。また、特許文献２では、ボールの叩打力はチェックできるものの、ボール自体に細工をしているわけではないことから、ボールをどの位置で叩打したかはチェックできなかった。そのために、いずれの場合でも実用的な練習を行うことはできなかった。
【課題を解決するための手段】
【０００６】
本発明は、上述の課題を解決するものであり、家庭内でも身近に練習できるとともに、ボールの叩打位置を感知してボールを正しくチェックすることができ、しかも実用的な練習を行うことができる叩打用練習台提供することを目的とするものであり、その目的を達成するために、本発明は以下のように構成するものである。すなわち、
請求項１記載の発明では、床上に載置するベースと、先端部に叩打部材を備えて前記ベースに対して回転可能に配置される回転体と、前記叩打部材の回転による慣性力と略同一の慣性力を有して前記回転体の回転中心位置に対して前記叩打部材と反対側の前記回転体上に配置する錘部材と、を有して構成される叩打用練習台であって、
前記叩打部材には、前記叩打位置に対して感知可能な複数の感知手段が配設されるとともに、それぞれの感知手段がそれぞれ出力手段に接続され、
前記叩打部材の叩打位置によって、それぞれ選択的に出力手段からの出力がなされることを特徴とするものである。
【０００７】
請求項２記載の発明では、前記感知手段が、前記叩打部材の各位置に配置された往復移動可能な複数のピン部材と、前記ピン部材の移動検出位置を検出するセンサと、を有し、前記ピン部材がそれぞれ衝撃緩和するばね部材に接続されていることを特徴としている。
【０００８】
請求項３記載の発明では、前記ピン部材が、前記叩打部材の中心位置に配置される第１のピン部材と、第１のピン部材の周りで複数配置される第２のピン部材とを有していることを特徴としている。
【０００９】
請求項４記載の発明では、前記感知手段が、前記叩打部材の中心位置を感知する部位において、第１の移動検出位置を検出する第１のセンサと、第２の移動検出位置を検出する第２のセンサとを備えていることを特徴としている。
【００１０】
請求項５記載の発明では、前記感知手段が、前記叩打部材の各位置に配置された往復移動可能な複数のピン部材と、前記ピン部材の移動検出位置を検出するセンサと、を有し、前記センサが前記ピンを挿通することによって前記ピンの移動検出位置を検出する非接触型の電磁センサであることを特徴としている。
【００１１】
請求項６記載の発明では、前記ベースには、前記出力手段に接続する第１の配線部材が接続され、前記回転体には、前記感知手段に接続する第２の配線部材が接続され、前記第２の配線部材の先端には、前記回転体の回転中心から同心上に順次離隔する感知片部を配置するとともに、前記ベースには、前記感知片部に対向する溝部をそれぞれ形成することを特徴としている。
【００１２】
請求項７記載の発明では、前記出力手段が、それぞれ異なる聴覚手段又は視覚手段で出力されることを特徴としている。
【発明の効果】
【００１３】
請求項１記載発明によれば、例えば、ゴルフのクラブを叩打部材の中心に狙って叩打する際、叩打部材には感知手段が配置され、叩打部材への叩打位置によって、それぞれ出力されることから、叩打した位置を把握することができる。つまり、叩打部材の芯に当てれば芯に当った出力がなされ、叩打部材の頭部に当れば頭部に当った出力がなされ、叩打部材の側部に当れば側部に当った出力がなされることから、叩打部材への叩打位置を把握することができる。そのため、ゴルフのクラブで打つことの楽しみを満足することができるとともに、叩打位置を把握できることから、叩打姿勢のチェックを行うことができ、極めて実用的に練習できることとなる。しかも、回転する叩打部材は、錘部材と慣性力においてバランスが取れていることから安定して回転して装置を長持ちさせ、装置自体を大型にすることなく製作できることから、家庭内でも身近に練習できることとなる。
【００１４】
請求項２記載の発明によれば、感知手段が、叩打部材の各位置に配置された複数のピン部材であることから、例えば、ゴルフのクラブで叩打する際に、いずれかのピン部材に当てることによって、当てられたピン部材が移動して該当するピン部材のセンサを感知させ、さらに出力させることができ、叩打姿勢をチェックすることができて実用的な練習を行うことが可能となる。しかも、叩打部材は叩打されることによって回転台とともに回転できることと、ばねによって衝撃吸収されることから、叩打部材の損傷は少なく耐久性を向上できる。
【００１５】
請求項３記載の発明によれば、例えば、ゴルフのクラブを叩打部材の芯に当てれば第１のピン部材が移動して第１のピン部材に対応する出力がなされることから叩打姿勢を満足することができ、叩打部材の頭部、あるいは側部に当たれば第２のピン部材に対応する出力がなされることから叩打姿勢に対して反省することとなり、いずれの場合でも叩打位置をチェックすることができて実用的な練習を行うことが可能となる。
【００１６】
請求項４記載の発明によれば、例えば、ゴルフのクラブを叩打部材の芯に当てても、叩打力が弱いと第１のピン部材は第１の移動検出位置を検出し、叩打力が強ければ第１のピン部材は第２の移動検出位置を検出することから、叩打部材の中心位置に当てても、その叩打力をチェックすることができ、極めて実用的な練習を行うことができる。
【００１７】
請求項５記載の発明によれば、ピン部材の移動検出位置を、非接触型の電磁センサで使用すれば、叩打部材を叩打する衝撃をセンサ自体で受けることがなく、そのためにセンサの損傷を招くことなく、長期の使用が可能となる。また、その分、衝撃緩和用のばねを省略することができてコスト低減に繋がることができる。
【００１８】
請求項６記載の発明によれば、回転するセンサ部と、回転しない出力手段とを接続する場合に、回転体には、感知手段から接続された第１の配線部材の先端に感知片部を配置し、ベースには、出力手段から接続される第２の配線部材とを対応するように接続して、回転体に感知片部を同心上に複数取り付けて、それぞれの感知片部を接触させるように溝部をベースに形成すれば、回転部とベース部との対向する面を水平方向に相対向して形成できることから、叩打部材を低い位置に配置することができ、実際のゴルフと同等の高さで叩打することができる。従って、実用的な練習を行うことができる。
【００１９】
請求項７記載の発明によれば、出力手段が聴覚手段によるものであることから、例えば、聴覚手段がそれぞれ異なるチャイムであれば、チャイム音で叩打位置を判別することができ、また音声手段であれば、言葉で叩打位置を判別することができ、叩打位置を明確に把握することができるとともに、チャイムや音声手段を楽しんで聞くことができる。さらに視覚手段であれば、叩打部材の叩打位置を光学手段で表示することができる。
【発明を実施するための最良の形態】
【００２０】
以下、本発明の一実施形態について実施例ごとに図に基づいて説明する。本発明の叩打用練習台は、ゴルフやグラウンド・ゴルフのボールを叩打したり、又は野球やソフトボールのボールを叩打したり、あるいは叩打部材を有して叩打する他の球技スポーツのボールを叩打したりすることに適するものであるが、以下の説明にあたっては、特にゴルフやグラウンド・ゴルフのボールを叩打する形態について説明する。
【実施例１】
【００２１】
図１〜２は、叩打用練習台（以下、ゴルフ練習台という）１の全体を示すものであり、ベース２と、ベース２の中央部から上方に立設する支柱３と、ベース２上に支柱３に対して回転可能に配置される回転台４と、回転台４の一方の端部に装着される叩打部材１０と、回転台４の他方の端部に装着されて回転する叩打部材１０と略同一の慣性力を有する錘部材５と、叩打部材１０の叩打位置によってそれぞれ出力される複数のチャイム収容部３０と、を備えている。
【００２２】
ベース２は、一方が長尺状の矩形板状に形成され、中央部で支柱３を固着している。ベース２に固着された支柱３には筒状部材６が外装され、筒状部材６に絶縁体６１と導体リング６２とが交互に積層するようにして固着されている。筒状部材６は支柱３に固着されるとともに、軸方向に後述の第１の配線部材３１を挿通する挿通孔６ａを形成している。各同通リング６２に接続されるそれぞれの第１の配線部材３１はチャイム収容部３０の各チャイムにそれぞれ配線される。
【００２３】
導体リング６２の周りには、回転台４に固着された回転体７が導体リング６２に対して回転可能に配置され、図３に示すように、回転体７の外周面の一部に導体リング６２の外周面にばね片９を接触させた中継端子８が、それぞれの導体リング６２に対向して配置されて、後述のセンサから接続される第２の配線部材３２を固着している。
【００２４】
従って、回転するセンサからの電気信号は、回転する第２の配線部材３２から中継端子８、固定側の導通リング６２・第１の配線部材３１を通ってチャイムに入力される。なお、回転するセンサから固定側のチャイムに電気信号を通電する構成は上記に限定するものではない。
【００２５】
回転台４の一端に配置された叩打部材１０は、図４〜５に示すように、半球状に形成されて叩打ピン（ピン部材）１７を往復移動可能に収容する叩打ピン支持部１１と、叩打ピン１７の戻り作用をする戻りばね１８を収容する戻りばね収容部１２と、センサ１９を装着するセンサ取付け部１３と、叩打ピン支持部１１と戻りばね収容部１２との間に配置されて透明枠で形成された内部確認部１４と、戻りばね収容部１２とセンサ取付け部１３との間に戻りばね１８の一端を支持する戻りばね受け板１５とを有して構成されている。
【００２６】
叩打ピン１７は、ピン部１７１とピン部１７１の後方（図４中、右方向）に接続されるねじ部１７２とねじ部１７２の後端部に装着するばね受け部１７３（後述の第２の叩打ピンに適用）とを有して叩打ピン支持部１１内に形成された挿通孔１１１内を往復移動可能に配置されている。また、叩打ピン１７のピン部１７１は、叩打ピン支持部１１より前方（図４中、左方向）に突出するとともに、叩打ピン支持部１１の挿通孔１１１内を往復移動し、ねじ部１７２は、内部確認部１４・戻りばね収容部１２・センサ取付け部１３内を挿通するとともに、戻りばね収容部１２で戻りばね１８を外装している。戻りばね１８は、叩打ピン１７のねじ部１７２で固定された２個のナット組２０に一端を掛止して、他端で戻りばね受け板１５に掛止可能に配置される。ナット組２０の位置を左右いずれかに移動することによって、戻りばね１８の付勢力を調整する。
【００２７】
さらに、後述に説明の第２のピン部１７Ｂに適用するねじ部１７２の後端に装着したばね受け部１７３には、センサ１９がプッシュ釦１９１を備えているものであれば、ばね受け部１７３に一端を掛止した衝撃緩和ばね２２を、筒状に形成してセンサ１９を支持するセンサ支持部２１内に移動可能に介在させて、衝撃緩和用ばね２２の他端をセンサ１９のプッシュ釦１９１押圧可能に配置させる。
【００２８】
なお、叩打ピン支持部１１の叩打ピン挿通孔１１１は、図１に示すように、中央部に形成される第１の挿通孔１１１Ａと第１の挿通孔１１１の周りに複数等分（実施例では４等分）された位置に形成される第２の挿通孔１１１Ｂとを有して、それぞれ、第１の叩打ピン挿通孔１１１Ａに第１の叩打ピン１７Ａが挿通され、第２の叩打ピン挿通孔１１１Ｂに第２の叩打ピン１７Ｂが挿通されている。
【００２９】
そして、叩打ピン支持部１１の中央部に挿入される第１の叩打ピン１７Ａには、２段階の位置検出を行うために２個のセンサ１９Ａ・１９Ｂを取り付けて２位置の移動検出を行うように構成する。そのために、図５に示すように、叩打部材１０におけるセンサ取付け部１３の後方に、センサ取付け部１３の下部に装着した板ばね支持部材２３を取付け、下端部を板ばね支持部２３に支持された板ばね２４を上方に向かって配置する。
【００３０】
叩打ピン１７に装着した押圧部材２５に対応する板ばね２４の中央部位には押圧部材２５と反対側の面に第２のセンサ１９Ｂのプッシュ釦１９１を押圧する突出部２４１を設けて第２のセンサ１９Ｂのプッシュ釦１９１を押圧可能にし、板ばね２４の先端部には、板ばね２４の叩打ピン１７と反対側に向かって突出ピン２６を設け、突出ピン２６の先端部（図５中、右方向）に前述のばね受け部１７３を装着して衝撃緩和用ばね２７の一端を掛止する。衝撃緩和用ばね２７の他端は第１のセンサ１９Ａを押圧可能に配置する。そして、第１の叩打ピン１７Ａが、図中右方向に移動すると、板ばね２４の上部が、図５中、右方に撓み、最初に衝撃緩和用ばね２７で第１のセンサ１９Ａのプッシュ釦１９１を押圧し、さらに第１の叩打ピン１７Ａが右方に移動すると、板ばね２４の中央部が、図５中、大きく撓んで突出部２４１で第２のセンサ１９Ｂのプッシュ釦１９１を押圧することとなる。
【００３１】
一方、第１の叩打ピン１７Ａの周りに配置される複数（図例では４本）本の第２の叩打ピン１７Ｂは、前述の、図４で示したとおり、ピン部１７１・ねじ部１７２・ばね受け部１７３を有し、ばね受け部１７３に一端を係止した衝撃緩和用ばね２２の他端をセンサ１９のプッシュ釦１９１に係止可能に配置して、プッシュ釦１９１を押圧することによってセンサ１９を作動させている。衝撃緩和用ばね２２は、筒状に形成されたセンサ支持部２１内に収容されている。
【００３２】
上記の実施例においては、図６に示すように、センサ１９はコ字状の感知部１９２内にプッシュ釦１９１を有して衝撃緩和用ばね２２でプッシュ釦を押圧する接触型センサを使用するものであるが、図７〜８に示すように、非接触型の電磁センサ２９を使用するものであってもよい。この電磁センサ２９は、枠状に形成された感知部２９１内に軸部を挿通させることによって電磁センサ２９を作動するものであり、そのために、叩打ピン１７のねじ部１７２を延長させるか、あるいはねじ部１７２の後端部に軸部１７４を取り付けて、ねじ部１７２又は軸部１７４を電磁センサ２９の感知部２９１内に挿通可能に配置する。この電磁センサ２９を使用することによって、電磁センサ２９自体が衝撃を受けることがないことから、衝撃緩和用ばね２２を介在する必要がなくなり、部品点数を低減することができる。また、第１の叩打ピン１７Ａに対応する電磁センサ２９は２段階のため、磁気力の弱い第１のセンサと磁気力の強い第２のセンサとを並列に配置することによって、プッシュ釦式のセンサ１９を使用するよりコンパクトに構成することができる。
【００３３】
図６又は７に示す各センサ１９には各２本の第２の配線部材３２が接続され、図１に示すように、支柱３の周りに装着された中継端子８にそれぞれ接続される。そしてそれぞれの中継端子８からばね片９で接触されている導通リング６２から別に接続された第１の配線部材３１がベース３側に垂下されチャイム収容部３０内の各チャイムに接続される。
【００３４】
次に、上記のように構成されたゴルフ練習台１の作用について説明する。
【００３５】
まず、ゴルフ練習台１を床面に設置した後、回転台４を適度に回転させて、叩打部材１０を叩打する位置に位置決めをする。そして、使用者が、例えば、ゴルフのクラブのスイングを行う。
【００３６】
クラブのスイングで、叩打部材１０の第１の叩打ピン１７Ａあるいは第２の叩打ピン１７Ｂのいずれかに当ると叩打部材１０はその衝撃で支柱３を中心に回転する。同時に、当てられたいずれかの叩打ピン１７に対応する出力が、チャイムによって応答することとなる。
【００３７】
この場合、例えば、第１の叩打ピン１７Ａに軽く当ると、叩打ピン１７Ａは、戻りばね１８の付勢力に抗して叩打ピン支持部１１の第１の挿入孔１１１Ａ内を移動する。移動する第１の叩打ピン１７Ａは、押圧部材２５を板ばね２４に向かって移動させて板ばね２４をセンサ１９側に撓ませる。第１の叩打ピン１７Ａは、振り回されたクラブに軽く当てられただけであるから、板ばね２４は小さく撓み、板ばね２４の先端部に装着された衝撃用緩和ばね２７が第１のセンサ１９Ａのプッシュ釦１９１を押すだけに留まる。第１のセンサ１９Ａに接続された第２の配線部材３２は叩打部材１０とともに支柱３を中心に回転する。
【００３８】
一方、回転台４の回転により、支柱３の周りの回転体７が中継端子８を伴って回転している。第２の配線部材３２は、支柱３の回転体７に取り付けられた第１の叩打ピン１７Ａ用の第１のセンサ１９Ａに対応する中継端子８に接続されていて、さらに回転する中継端子８は、ばね片９を回転しない導体リング６２に接触させていることから、プッシュ釦１９１で押圧されて第１のセンサ１９Ａからの入力信号は、導体リング６２に伝導され、導体リング６２から対応するチャイムに接続された第１の配線部材３１を通ってチャイムを作動させることとなる。
【００３９】
また、クラブのスイングで第１の叩打ピン１７Ａを強く当てることになれば、上述のように、板ばね２４が大きく撓むことになるから、板ばね２４の中央部に配置された突出部２４１が第２のセンサ１９Ｂのプッシュ釦１９１を押圧することとなり、第１の叩打ピン１７Ａの第２のセンサ１９Ｂに対応するチャイムが鳴ることとなる。
【００４０】
この際、第１のセンサ１９Ａと第２のセンサ１９Ｂとが作動してそれぞれ対応するチャイムを鳴らすことになるが、この場合、２つのチャイムを鳴らすようにしてもよく、また第１のセンサ１９Ａに対応するチャイムの音を出力させずに第２のセンサ１９Ｂに対応するチャイムだけを出力させるように回路を形成してもよい。
【００４１】
また、クラブのスイングで、第２の叩打ピン１７Ｂのいずれか、例えば、上部に配置されている第２の叩打ピン１７Ｂに当れば、それに対応するチャイムが通電されて、そのチャイムが出力され、例えば、中央部に対して左側の第２の叩打ピン１７Ｂに当れば、それに対応するチャイムが通電されて出力されることとなる。
【００４２】
この場合においても、上部と左側、あるいは中央部の第１の叩打ピン１７Ａとその周りの第２の叩打ピン１７Ｂの２つ以上が同時に当れば、第１の叩打ピン１７Ａの出力を解除して第２の叩打ピン１７Ｂに対応するチャイムだけを出力させるように回路を形成すれば、不当なスイングであったことを判別することができる。
【００４３】
上記のように、実施例１のゴルフ練習台１では、叩打部材１０の各位置に叩打ピン１７を配置して、いずれかの叩打ピン１７が移動することにより、該当する叩打ピン１７に対応する出力をさせるようにすることから、スイングの状態を把握することができ、身近な場所で実用的な練習を行うことができる。
【実施例２】
【００４４】
図９〜１０は、第２の形態のゴルフ練習台５１を示すものであり、この形態の場合は、叩打部材を低い位置に配置するように構成して、実際のゴルフにおける、ボールの置く位置と合わせるようにしたものであり、床面に配置するベース５２と、ベース５２の中央部から上方に立設する支柱５３と、支柱に対して回転可能に支持される回転体５４と、回転体５４の中央部から突出するアーム部５５と、アーム部５５の先端部に装着される叩打部材１０と、回転体５４の一部に装着される錘部材５６とを有して構成されている。叩打部材１０は、実施例１で示した構成と同様に構成されている。
【００４５】
ベース５２は、円板状の中央部５２１と、中央部５２１から両側に延設する腕部５２２・５２３とを有して形成され、中央部５２１には、叩打部材１０内に配置される１個の第１の叩打ピン１７Ａと第１の叩打ピン１７Ａの周りで４箇所に配置される４個の第２の叩打ピン１７Ｂのそれぞれのセンサ（図２に示す５個の第１のセンサ１９Ａと１個の第２のセンサ１９Ｂ）から接続される中継端子８に対応する溝５２４が、同心上で、中央部から順次、大径となるように円周上の全周にわたって形成されている。一方の腕部５２２には人工芝５２２ａ等を載置して、先端に叩打部材１０を載置できるようにし、他方の腕部５２３には、中央部５２１の側面部近傍に回動可能に配置する爪部材５２６を支持する爪支持部５２５を配置する。爪部材５２６は爪支持部５２５に軸支されるとともにコイルばね５２７で一方の方向に付勢されて水平方向に回動可能に配置される。
【００４６】
回転体５４は支柱５３に対して軸受で回転可能に配置されるとともに、ベースの中央部に対向して円板状の導通中継部５４１と導通中継部５４１の上方で支柱５３の周りに配置される略円筒状の垂直部５４２と、垂直部５４２の上部の一部から一方の側に延設して内部に叩打部材１０から接続される第２の配線部材３２を収容する前述のアーム部５５と、が形成される。
【００４７】
導通中継部５４１には、第２の配線部材３２の一端でばね片５４３を、ベース５２の中央部５２１に形成された複数の溝５２４に挿入して溝底部に接触させることによって、第２の配線部材３２を第１の配線部材３１に導通可能に構成している。また、導通中継部５４１には、叩打部材１０と反対側の位置に、回転する際の叩打部材１０の慣性力と略同一の慣性力を有する錘部材５６を載置させている。さらに、導通中継部５４１における、アーム部５５が延設する方向と反対側の方向の側面において、半球状の凹部５４４が１箇所に形成され、ベース５２の腕部５２３に配置された爪部材５２６の先端部を挿入可能としている。これによって、回転体５４の回転ストッパを構成している。
【００４８】
上記のように構成されたゴルフ練習台５１の作用は、叩打部材１０の構成が第１の形態と同様であり、略同様の説明をすることとなることから省略する。
【００４９】
上述のように、第２の実施形態のゴルフ練習台５１においても、叩打部材１０の各位置に叩打ピン１７を配置して、いずれかの叩打ピンが移動することにより、該当する叩打ピン１７に対応する出力をさせるようにすることから、スイングの状態を把握することができ、身近な場所で実用的な練習を行うことができる。
【００５０】
しかも、回転する回転体５４の導通中継部５４１と固定側のベース５２の中央部５２１とは、平面上で対向するように配置されていることから、叩打部材１０とともに回転する複数のばね片５４３を一面上に配置して、各ばね片５４３と対向するように各溝５２４を一面上に形成することができる。そして、ばね片５４３を接触させて、第２の配線部材３２を第１の配線部材３１に導通できるようにしたことから、叩打部材１０の位置を低くすることができ、実際のゴルフにおける叩打位置に合わせることができる。
【００５１】
なお、本発明の叩打用練習台は、上述の形態に限定するものではなく、例えば、叩打部材１０をボールのように球状に形成し、叩打ピン支持部と、戻りばね収容部及びセンサ取付け部とをそれぞれ半球状に形成して、２分割としてもよい。
【００５２】
また、叩打部材１０の棒状の叩打ピン１７の代わりに、ピン部を球状に形成した叩打ピンでもよく、さらには、球状又は半球状の叩打部材１０の叩打面を樹脂製の膜で覆って、樹脂製の裏面側にそれぞれの叩打位置に合わせたタッチセンサをスイッチ部として分割配置して形成してもよい。
【００５３】
また、回転する複数の第２の配線部材３２を、それぞれ固定側の第１の配線部材３１に導通させるための構成は、例えば、第２の配線部材３２側の先端導体部と固定支柱側に配置した導体部とをばね片で接触するように形成すればどのような構成のものであってもよい。従って、第１の実施形態におけるばね片９は、図３に示すようなコイル状でなくても板ばね状であってもよい。
【００５４】
さらに、出力手段は、チャイムでなくても、それぞれの叩打に対する音声でもよく、また、表示できるようにしてもよい。また、出力手段を視覚手段で表示する場合、例えば、光学手段を使用して叩打ピンの叩打位置を画面等で表示できるようにしてもよい。
【図面の簡単な説明】
【００５５】
【図１】本発明の第１の形態におけるゴルフ練習台を示す正面一部断面図である。
【図２】同平面図である。
【図３】図１におけるIII−III断面図である。
【図４】図１における叩打部材の詳細を示す断面図である。
【図５】図１におけるV−V断面図である。
【図６】図４における接触型センサの取付け構成を示す簡略図である。
【図７】センサを非接触型の形態で示す正面図である。
【図８】非接触型のセンサの取付け構成を示す簡略図である。
【図９】本発明の第２の形態のゴルフ練習台を示す正面断面図である。
【図１０】同一部断面を含む平面図である。
【図１１】従来のゴルフ練習台を示す斜視図である。
【符号の説明】
【００５６】
１、ゴルフ練習台
２、ベース
３、支柱
４、回転台
５、錘部材
６、筒状部材
６１、絶縁体
６２、導通リング
７、回転体
８、中継端子
９、ばね片
１０、叩打部材
１１、叩打ピン支持部
１２、戻りばね収容部
１３、センサ取付け部
１７、叩打ピン
１７Ａ、第１の叩打ピン
１７Ｂ、第２の叩打ピン
１８、戻りばね
１９、センサ
１９Ａ、第１のセンサ
１９Ｂ、第２のセンサ
１９１、プッシュ釦
２２、衝撃緩和用ばね
２４、板ばね
２７、衝撃緩和用ばね
２９、電磁センサ
３０、チャイム収容部
３１、第１の配線部材
３２、第２の配線部材
５１、ゴルフ練習台
５２、ベース
５２１、中央部
５２４、溝
５３、支柱
５４、回転体
５４１、導通中継部
５４３、ばね片
５５、アーム部
５６、錘部材
【図１】
2005185509.tif 000003
【図２】
2005185509.tif 000004
【図３】
2005185509.tif 000005
【図４】
2005185509.tif 000006
【図５】
2005185509.tif 000007
【図６】
2005185509.tif 000008
【図７】
2005185509.tif 000009
【図８】
2005185509.tif 000010
【図９】
2005185509.tif 000011
【図１０】
2005185509.tif 000012
【図１１】
2005185509.tif 000013